(57)【特許請求の範囲】
【請求項１】
一対の主支柱と、
前記主支柱間に配置された支持部材とを備え、
前記支持部材は、水平位置と垂直位置との間で回動自在に設けられ、水平位置をとるときに上面に物品を載置可能となっており、
前記支持部材は垂直位置をとるとき、一対の主支柱間の内部空間に収まり、
前記主支柱の各々には、前記支持部材を回動自在に保持する保持機構が設けられ、
各保持機構は対応する主支柱に沿って摺動する保持機構本体と、前記保持機構本体に設けられた回動軸とを有し、
各回動軸は前記一対の主支柱の中心軸間を結ぶ線上に位置し、
前記支持部材は、支持フレームとサポート部材を有し、
前記支持フレームの基端部に延長板が設けられ、
前記延長板は、前記支持フレームの長手方向に延びる長穴を有し、前記長穴内に前記回動軸が嵌合する、室内収納装置。
【請求項２】
前記延長板の基端部に係合爪が設けられ、
前記保持機構本体は、前記係合爪に嵌合して前記支持フレームの水平移動及び水平位置からの回転移動を規制する係止爪を有し、
前記支持フレームが水平位置をとるとき、前記回動軸は前記長穴のうち自由端側に相対位置をとるとともに、前記保持機構本体に設けられた前記係止爪と前記延長板に設けられた前記係合爪とが係合し、
前記係止爪と前記係合爪の係合が外れ、前記回動軸が前記長穴のうち基端側に相対位置をとって、前記支持フレームが回動して垂直位置をとる、請求項１記載の室内収納装置。
【請求項３】
前記支持部材が垂直位置をとるとき、前記支持部材の自由端側の端部が、前記主支柱に設けられたストッパと係合する、請求項１または２記載の室内収納装置。
【発明の詳細な説明】
【技術分野】
【０００１】
本開示は室内収納装置に係り、とりわけ物品を載置する機能と吊り下げる機能をもつ室内収納装置に関する。
【背景技術】
【０００２】
従来より、室内収納装置として、壁面に設けられた一対の主支柱と、各主支柱から前面に向かって延びる支持フレームと、支持フレーム間に延びる水平サポートとを有するものが知られている。
【０００３】
使用者は、水平サポート上に物品を載置して使用している。
【０００４】
この場合、支持フレームを水平位置にもってきて水平サポート上に物品を載置したり、支持フレームを回動させて垂直位置にもってきて水平サポートに物品を吊り下げることができれば都合が良い。
【先行技術文献】
【特許文献】
【０００５】
【特許文献１】登録実用新案第３０１９０１５号
【特許文献２】特許第４５７８１３８号
【特許文献３】登録実用新案第３０６９５８７号
【発明の概要】
【発明が解決しようとする課題】
【０００６】
本開示はこのような点を考慮してなされたものであり、物品を載置する機能と、吊り下げる機能の双方を併せもつ室内収納装置を提供することを目的とする。
【課題を解決するための手段】
【０００７】
本開示は、一対の主支柱と、前記主支柱間に配置された支持部材とを備え、前記支持部材は、水平位置と垂直位置との間で回動自在に設けられ、水平位置をとるときに上面に物品を載置可能となっており、前記支持部材は垂直位置をとるとき、一対の主支柱間の内部空間に収まる、室内収納装置である。
【０００８】
本開示は、前記主支柱の各々には、前記支持部材を回動自在に保持する保持機構が設けられ、各保持機構は対応する主支柱に沿って摺動する保持機構本体と、前記保持機構本体に設けられた回動軸とを有し、各回動軸は前記一対の主支柱の中心軸間を結ぶ線上に位置する、室内収納装置である。
【０００９】
本開示は、前記支持部材は、支持フレームとサポート部材を有し、前記支持フレームの基端部に延長板が設けられ、前記延長板は、前記支持フレームの長手方向に延びる長穴を有し、前記長穴内に前記回動軸が嵌合する、室内収納装置である。
【００１０】
本開示は、前記延長板の基端部に係合爪が設けられ、前記保持機構本体は、前記係合爪と嵌合して前記支持フレームの水平移動及び水平位置からの回転移動を規制する係止爪を有し、前記支持フレームが水平位置をとるとき、前記回動軸は前記長穴のうち自由端側に相対位置をとるとともに、前記保持機構本体に設けられた前記係止爪と前記延長板に設けられた前記係合爪とが係合し、前記係止爪と前記係合爪の係合が外れ、前記回動軸が前記長穴のうち基端側に相対位置をとって、前記支持フレームが回動して垂直位置をとる、室内収納装置である。
【００１１】
本開示は、前記支持部材が垂直位置をとるとき、前記支持部材の基端側の端部が、前記主支柱に設けられたストッパと係合する、室内収納装置である。
【発明の効果】
【００１２】
本開示によれば、物品を載置する機能と、物品を吊り下げる機能を併せもつことができ、かつ全体としてコンパクトに構成することができる。
【図面の簡単な説明】
【００１３】
【図１】図１は第1の実施の形態による物品を載置する機能をもつ室内収納装置を示す斜視図。
【図２】図２は物品を吊り下げる機能をもつ室内収納装置を示す斜視図。
【図３】図３は保持機構と支持フレームを示す拡大図。
【図４】図４は保持機構と支持フレームを示す拡大図。
【図５】図５は水平位置をとる支持フレームと保持機構を示す斜視図。
【図６Ａ】図６Ａは回動軸の配置位置を示す平面図。
【図６Ｂ】図６Ｂは支持フレームの延長板を示す図。
【図７】図７は室内収納装置の一使用例を示す図。
【図８】図８は図７の拡大図。
【図９】図９は室内収納装置の他の使用例を示す図。
【図１０】図１０は第２の実施の形態による物品を載置する機能をもつ室内収納装置を示す斜視図。
【図１１】図１１は収納状態の室内収納装置を示す斜視図。
【発明を実施するための形態】
【００１４】
＜第１の実施の形態＞
以下、図面を参照して本開示の第１の実施の形態について説明する。
【００１５】
図１乃至図９は本開示による室内収納装置を示す図である。
【００１６】
ここで図１は第１の本実施の形態による物品を載置する機能をもつ室内収納装置を示す斜視図、図２は物品を吊り下げる機能をもつ室内収納装置を示す斜視図、図３および図４は保持機構と支持フレームを示す拡大図、図５は水平位置をとる支持フレームと保持機構を示す斜視図、図６Ａは回動軸の配置位置を示す平面図、図６Ｂは支持フレームの延長板を示す図、図７は室内収納装置の一使用例を示す図、図８は図７の拡大図、図９は室内収納装置の他の使用例を示す図である。
【００１７】
図１乃至図９に示すように、室内収納装置１０は床面Ｆから天井Ｃまで延びる壁面Ｗに沿って配置され、物品を載置するため、あるいは物品を吊り下げるために用いられる。
【００１８】
このような室内収納装置１０は図１に示すように、壁面Ｗに沿って設けられた一対の管状の主支柱１１，１１と、各主支柱１１，１１に保持機構３０を介して回動自在に設けられ、水平位置と垂直位置をとる細長状の支持フレーム２１と、対応する一対の支持フレーム２１，２１間に水平方向に掛け渡された複数の水平サポート２７とを備えている。
【００１９】
次に一対の主支柱１１，１１について更に述べる。各主支柱１１，１１の底部には床面Ｆに当接して室内収納装置１０の高さ位置を調整するアジャスター１５が設けられている。また各主支柱１１，１１は円筒管からなり、ステンレス製、鋼製、またはアルミニウム製となっている。
【００２０】
また図１に示すように、各主支柱１１，１１の上部内側に内管（摺動管ともいう）１２，１２が摺動自在に設けられ、この内管１２，１２の上端には天井Ｃに当接する当接具１３が設けられている。また各主支柱１１には、内管１２を所定位置に固定する締め付けボルト１４ａを有する固定具１４が設けられ、内管１２の当接具１３が天井Ｃに当接した位置でこの固定具１４の締め付けボルト１４ａを締め付けることにより内管１２を固定することができる。ところで内管１２，１２の当接具１３は、矩形状に形成されているが、一対の支柱１１，１１間に延びる方向、すなわち壁面Ｗに沿う方向（矢印Ｌ方向）に細長く延びる長方形状を有していてもよい。
【００２１】
このように当接具１３が矢印Ｌ方向に細長く延びる長方形状をもつ場合、地震等で建物が壁面Ｗに沿って揺れた場合に、矢印Ｌと直交する方向に当接具１３が延びる場合に比べて、室内収納装置１０の揺れ幅が小さくなり、かつ当接具１３の長辺がエッジとして当接具１３のずれを抑えることができる。
【００２２】
ところで各主支柱１１，１１に２本の細長状の支持フレーム２１が保持機構３０を介して設けられ、各支持フレーム２１はこの保持機構３０により水平位置と垂直位置をとるよう回動自在となっている。また一方の主支柱１１に設けられた支持フレーム２１と、対応する他方の主支柱１１に設けられた支持フレーム２１との間に複数、例えば５本の水平サポート２７が掛け渡されている。
【００２３】
また支持フレーム２１が垂直位置をとる場合（図２参照）、支持フレーム２１および水平サポート２７はいずれも一対の主支柱１１，１１間の内部空間に収まる。
【００２４】
次に支持フレーム２１と保持機構３０について説明する。図３および図４に示すように、保持機構３０は主支柱１１に沿って摺動自在に設けられた保持機構本体３０Ａと、この保持機構本体３０Ａに設けられ、後述する支持フレーム２１の長穴２３が嵌合する回動軸３１とを有する。
【００２５】
保持機構３０の保持機構本体３０Ａは、主支柱１１に沿って摺動可能となっており、保持機構本体３０Ａが主支柱１１の適当な位置にきた場合、締め付けボルト３８を締め付けることにより保持機構本体３０Ａを主支柱１１に固定することができる。
【００２６】
次に保持機構３０の回動軸３１の配置位置について図６Ａにより述べる。図６Ａに示すように、保持機構３０の回動軸３１は、一対の主支柱１１の中心軸１１ａ間を結ぶ線Ｌ１上に位置している。また後述のように支持フレーム２１はその長穴２３が回動軸３１に嵌合している。このため、支持フレーム２１が回動軸３１を中心に回動して垂直位置をとるとき、支持フレーム２１は一対の主支柱１１，１１間に収まり、一対の主支柱１１，１１の前方あるいは後方へ支持フレーム２１が突出することはない。
【００２７】
また一対の支持フレーム２１は断面Ｕ字状のフレーム本体２１Ａと、断面Ｕ字状のフレーム本体２１Ａ内に設けられた円筒状の保持具２１ａを有し、一対の支持フレーム２１間に渡された水平サポート２７は支持フレーム２１の保持具２１ａ内に保持されている。このため支持フレーム２１が回動軸３１を中心に回動して垂直位置をとるとき、支持フレーム２１とともに水平サポート２７も一対の主支柱１１，１１間に収まることになり、支持フレーム２１および水平サポート２７が一対の主支柱１１，１１の前方あるいは後方へ突出することはない。このため支持フレーム２１が垂直位置をとるとき、支持フレーム２１および水平サポート２７をコンパクトに一対の主支柱１１，１１間に収めることができる。
【００２８】
ところで、支持フレーム２１は上述のように断面Ｕ字状のフレーム本体２１Ａを有し、このフレーム本体２１Ａの基端側（回動する際の基端側）の端部に、フレーム本体２１Ａの長手方向に延びる延長板２２が止めビス２２ａにより取り付けられている（図６Ｂ参照）。なお、本件明細書において、「基端側」とは支持フレーム２１が回動する際の基端側をいい、支持フレーム２１の基端側をいう。他方、「自由端側」とは支持フレーム２１が回動する際の自由端側をいい、支持フレーム２１の自由端側（先端側）をいう
【００２９】
そしてこの延長板２２に、保持機構３０の回動軸３１に嵌合する上記した長穴２３が形成され、この長穴２３は支持フレーム２１の長手方向に延びている。フレーム本体２１Ａは断面Ｕ字状の箱形形状をもち、これに対して延長板２２はフレーム本体２１Ａ内に設けられ、薄型の板状に形成されている。
【００３０】
図６Ｂに示すように、延長板２２には、長穴２３が形成され、また延長板２２の基端部には、長穴２３の上部に位置するとともに、保持機構３０に設けられた係止爪３４と係合する係合爪２４が設けられている。さらに延長板２２には、延長板２２をフレーム本体２１Ａに取り付けるための止めビス２２ａが嵌合する嵌合穴２５が形成されている。
【００３１】
ところで、保持機構３０は、上述のように保持機構本体３０Ａと、支持フレーム２１の長穴２３が嵌合する回動軸３１とを有し、この回動軸３１はカバー３５により覆われている。ここで図３および図４において、回動軸３１を覆うカバー３５は便宜上透明体からなっているが、実際は保持機構３０全体は樹脂材料製となっている。
【００３２】
そして保持機構３０のカバー３５内には、支持フレーム２１が水平位置をとるとき支持フレーム２１の延長板２２に設けられた係合爪２４と係合する係止爪３４が設けられている。
【００３３】
すなわち、支持フレーム２１が水平位置をとる場合、支持フレーム２１は保持機構３０側へ押し付けられる。このとき保持機構３０の回動軸３１が支持フレーム２１の長穴２３のうち支持フレーム２１の先端側（回動する場合の自由端側）に相対位置をとる。この際、保持機構３０の係止爪３４に対して支持フレーム２１の係合爪２４が係合し、支持フレーム２１は保持機構３０により水平位置に固定され、支持フレーム２１の水平移動および水平位置からの回動移動を規制する（図３および図５参照）。
【００３４】
他方、支持フレーム２１を回動させて垂直位置までもってくる場合、まず水平位置にある支持フレーム２１を図３の上方へわずかに回動させて、保持機構３０の係止爪３４に対する支持フレーム２１の係合爪２４の係合を外す。次に支持フレーム２１を保持機構３０から水平方向に沿って引き離す。このとき保持機構３０の回動軸３１が支持フレーム２１の長穴２３のうち、支持フレーム２１の回動する場合の基端側に相対位置をとる。
【００３５】
このとき、支持フレーム２１は保持機構３０との係合が解除され、支持フレーム２１を保持機構３０に対して矢印Ｌ２方向へ回動することができ、支持フレーム２１は垂直位置をとる（図４参照）。
【００３６】
この場合、延長板２２は薄型の板状に形成されているため、保持機構３０のカバー３５内で自由に回動する。他方、支持フレーム２１のフレーム本体２１Ａは断面Ｕ字状をなし、全体として箱形の形状をもつ。このためフレーム本体２１Ａはカバー３５の外方で回動し、支持フレーム２１が垂直位置をとるとき、箱形形状のフレーム本体２１Ａのうち、基端側部分２１ｂが、保持機構３０のカバー３５に設けられた突起３５ａと係合し、支持フレーム２１が垂直位置から更に矢印Ｌ２方向へ回動しないようになっている。このため箱形形状のフレーム本体２１Ａの基端側部分２１ｂとカバー３５の突起３５ａは、支持フレーム２１を垂直位置に位置決めするストッパ機能をもつ。
【００３７】
図１および図２において、一対の主支柱１１，１１に設けられた４個の支持フレーム２１のうち、上方の２本の支持フレーム２１と、この上方の２本の支持フレーム２１に渡された水平サポート２７とにより上部棚２０Ａが構成され、下方の２本の支持フレーム２１と、この下方の２本の支持フレーム２１に掛け渡された水平サポート２７とにより下部棚２０Ｂが構成される。なお、本明細書において、上部棚２０Ａおよび下部棚２０Ｂは、各々支持部材２０Ａ、２０Ｂということもできる。
【００３８】
また図１において、上部棚２０Ａおよび下部棚２０Ｂは、各々の支持フレーム２１が水平位置をとって、上部棚２０Ａおよび下部棚２０Ｂはいずれも物品を載置する機能をもつ。
【００３９】
他方、図２において、上部棚２０Ａおよび下部棚２０Ｂは、各々の支持フレーム２１が垂直位置をもって、上部棚２０Ａおよび下部棚２０Ｂはいずれも物品を吊り下げる機能をもつ。
【００４０】
次にこのような構成からなる室内収納装置１０の作用について説明する。
【００４１】
室内収納装置１０を組み立てる場合、まず、上述した一対の主支柱１１，１１を準備し、これらの主支柱１１，１１を壁面Ｗに沿って設置する。
【００４２】
この場合、予め各主支柱１１，１１の上部には当接具１３が取り付けられた内管１２が挿着されている。また主支柱１１，１１は底部のアジャスター１５により床面Ｆ上に載置される。
【００４３】
次に主支柱１１の上部に設けられている内管１２を上方へ延ばし、内管１２の当接具１３を天井Ｃに当接させ、この位置で内管１２を固定具１４により主支柱１１に固定する。このことにより主支柱１１を床面Ｆと天井Ｃとの間で挟持することができ、主支柱１１を堅固に固定することができる。
【００４４】
次に上部棚２０Ａと下部棚２０Ｂの使用形態により、上部棚２０Ａおよび下部棚２０Ｂの支持フレーム２１を回動させ、支持フレーム２１を水平位置または垂直位置にもってくる。
【００４５】
次に図７乃至図９により、本実施の形態による室内収納装置１０の使用例を示す。
【００４６】
まず図７に示すように上部棚２０Ａの支持フレーム２１は水平位置をとり、このため上部棚２０Ａの水平サポート２７上に物品を載置することができる。
【００４７】
図７において、下部棚２０Ｂの支持フレーム２１は垂直位置をとっており、下部棚２０Ｂの水平サポート２７に鋼製線材からなり包丁を保持するための包丁保持具４１が吊り下げられている。また下部棚２０Ｂの水平サポート２７に、鋼製線材からなりタオルを保持するためのタオル保持具４２が吊り下げられている。また下部棚２０Ｂの水平サポート２７に、鋼製線材からなり、まないたを保持するまないた保持具４３が吊り下げられている。また下部棚２０Ｂの水平サポート２７に、鋼製線材からなり、コップを保持するコップ保持具４４が吊り下げられている。
【００４８】
また図７および図８に示すように、上部棚２０Ａの支持フレーム２１は水平位置をとり、図７の右方の支持フレーム２１の外側には鋼製線材からなりスポンジ等の用具を保持するためのスポンジ保持具５０が吊り下げられている。スポンジ保持具５０は支持フレーム２１側に延びる保持用線材５０ａを有し、スポンジ保持具５０の保持用線材５０ａは、支持フレーム２１側に設けられた保持フック２６に係合して保持されている。
【００４９】
ところで、図７において、下部棚２０Ｂの支持フレーム２１は垂直位置をとっているが、垂直位置をとる下部棚２０Ｂの支持フレーム２１は、その自由端側（下方側）の端部２１ｃが主支柱１１の下方部に挿着されたストッパ２８に係合する。この場合、支持フレーム２１の自由端側（下方側）の端部２１ｃが、ストッパ２８に摩擦係合し、このことにより支持フレーム２１は垂直位置に固定される。
【００５０】
あるいは図９に示すように、上部棚２０Ａの支持フレーム２１および下部棚２０Ｂの支持フレーム２１はいずれも垂直位置をとっている。
【００５１】
図９に示すように、下部棚２０Ｂの水平サポート２７に鋼製線材からなり包丁を保持するための包丁保持具４１が吊り下げられている。また下部棚２０Ｂの水平サポート２７に、鋼製線材からなりタオルを保持するためのタオル保持具４２が吊り下げられている。また下部棚２０Ｂの水平サポート２７に、鋼製線材からなり、まないたを保持するまないた保持具４３が吊り下げられている。
【００５２】
また上部棚２０Ａの水平サポート２７に、鋼製線材からなりスポンジを保持するためのスポンジ保持具５０が吊り下げられている。さらに上部棚２０Ａの水平サポート２７に、鋼製線材からなり、コップを保持するためのコップ保持具４４が吊り下げられている。
【００５３】
図９において、垂直位置をとる下部棚２０Ｂの支持フレーム２１は、その自由端側（下方側）の端部２１ｃが、主支柱１１の下方部に挿着されたストッパ２８に摩擦係合し、このことにより支持フレーム２１は垂直方向に固定されている。
【００５４】
以上のように、本実施の形態によれば、室内収納装置１０は物品を載置する機能と、物品を吊り下げる機能の双方を併せ持つことができる。また、支持フレーム２１が回動軸３１を中心に回動して垂直位置をとるとき、支持フレーム２１および水平サポート２７はいずれも一対の主支柱１１，１１間に収まることになり、支持フレーム２１および水平サポート２７が主支柱１１，１１の前方、あるいは後方に突出することはない。このため支持フレーム２１が垂直位置をとるとき、支持フレーム２１および水平サポート２７をコンパクトに一対の主支柱１１，１１間に収めることができる。
【００５５】
＜第２の実施の形態＞
以下、図面を参照して本開示の第２の実施の形態について説明する。
【００５６】
図１０および図１１は本開示による室内収納装置を示す図である。
【００５７】
ここで図１０は第２の本実施の形態による使用状態の室内収納装置を示す斜視図、図１１は収納状態の室内収納装置を示す斜視図である。
【００５８】
図１０および図１１に示すように、室内収納装置１０は図示しない室内構造物に吊り下げられ、物品を載置するため、あるいは物品を吊り下げるために用いられる。
【００５９】
このような室内収納装置１０は図１に示すように、図示しない室内構造物に吊り下げられる一対の管状の主支柱１１，１１と、各主支柱１１，１１に保持機構３０を介して回動自在に設けられ、水平位置と垂直位置をとる細長状の支持フレーム２１と、対応する一対の支持フレーム２１，２１間に水平方向に掛け渡された複数の水平サポート２７とを備えている。
【００６０】
次に一対の主支柱１１，１１について更に述べる。各主支柱１１，１１は図示しない室内構造物、例えば戸棚、あるいは壁面等に引っ掛け機構６０を介して吊り下げられ、各主支柱１１，１１の下端部６３は太径に形成されて保持機構３０を支持している。また各主支柱１１，１１は円筒管からなり、ステンレス製、鋼製、またはアルミニウム製となっている。また、引っ掛け機構６０は室内構造物の係止部に引っ掛けられる引っ掛け機構本体６１と、引っ掛け機構本体６１を室内構造物の係止部に固定するための締め付けボルト６２とを有する。
【００６１】
ところで各主支柱１１，１１に２本の細長状の支持フレーム２１が保持機構３０を介して設けられ、各支持フレーム２１はこの保持機構３０により水平位置と垂直位置をとるよう回動自在となっている。また一方の主支柱１１に設けられた支持フレーム２１と、他方の主支柱１１に設けられた支持フレーム２１との間に複数、例えば５本の水平サポート２７が掛け渡されている。
【００６２】
また支持フレーム２１が垂直位置をとる場合（図１１参照）、支持フレーム２１および水平サポート２７はいずれも一対の主支柱１１，１１間内に収まる。
【００６３】
なお、支持フレーム２１と保持機構３０の構造は、第１の実施の形態で説明した支持フレーム２１と保持機構３０の構造と略同一である。このため、第２の実施の形態において、図１乃至図９に示す第１の実施の形態と同一部分については、同一符号を付して詳細な説明は省略する。図１０および図１１に示すように、保持機構３０は主支柱１１に沿って摺動自在に設けられた保持機構本体３０Ａと、この保持機構本体３０Ａに設けられ、支持フレーム２１の長穴２３が嵌合する回動軸３１とを有し、主支柱１１の適当な位置に来たとき、締め付けボルト３８を締め付けることにより、保持機構本体３０Ａを主支柱１１に固定することができる。
【００６４】
次にこのような構成からなる室内収納装置１０の作用について説明する。
【００６５】
室内収納装置１０を組み立てる場合、まず、上述した一対の主支柱１１，１１を準備し、これらの主支柱１１，１１を図示しない室内構造物、例えば戸棚、あるいは壁面等に吊り下げる。
【００６６】
この場合、予め各主支柱１１，１１の上部には引っ掛け機構６０が取り付けられており、この引っ掛け機構６０の引っ掛け機構本体６１を室内構造物の係止部に引っ掛ける。次に締め付けボルト６２を締め付けて引っ掛け機構本体６１を室内構造物の係止部に固定する。  
【００６７】
本実施の形態において、一対の主支柱１１，１１に設けられた２本の支持フレーム２１と、この２本の支持フレーム２１に渡された水平サポート２７とにより、棚２０Ｃが構成される。そして棚２０Ｃの使用形態により、支持フレーム２１を回動させて、支持フレーム２１を水平位置または垂直位置にもってくる。なお、本明細書において、棚２０Ｃは支持部材２０Ｃともいうことができる。
【００６８】
次に図１０及び図１１により、本実施の形態による室内収納装置１０の使用例を示す。
【００６９】
まず図１０に示すように、室内収納装置１０を使用する場合、棚２０Ｃの支持フレーム２１は水平位置をとり、このため棚２０Ｃの水平サポート２７上に物品を載置することができる。
【００７０】
このように棚２０Ｃの支持フレーム２１が水平位置をとる場合、一方の支持フレーム２１の外側に鋼製線材からなりスポンジ等の用具を保持するためのスポンジ保持具５０を吊り下げてもよい。  あるいは棚２０Ｃの支持フレーム２１を垂直位置まで回動させることもでき、この場合は、棚２０Ｃの水平サポート２７に物品を吊り下げることもできる。
【００７１】
次に、図１１に示すように、室内収納装置１０を使用する場合、棚２０Ｃの支持フレーム２１を垂直位置まで回動させる。その後、棚２０Ｃの水平サポート２７に鋼製線材からなり包丁を保持するための包丁保持具４１、鋼製線材からなりコップを保持するコップ保持具４４、あるいは鋼製線材からなりスポンジを保持するスポンジ保持具５０が吊り下げられ、収納場所に保管される。
【００７２】
以上のように、本実施の形態によれば、室内収納装置１０は物品を載置する機能と、物品を吊り下げる機能の双方を併せ持つことができる。また、支持フレーム２１が回動軸３１を中心に回動して垂直位置をとるとき、支持フレーム２１および水平サポート２７はいずれも一対の主支柱１１，１１間に収まることになり、支持フレーム２１および水平サポート２７が主支柱１１，１１の前方、あるいは後方に突出することはない。このため支持フレーム２１が垂直位置をとるとき、支持フレーム２１および水平サポート２７をコンパクトに一対の主支柱１１，１１間に収めることができる。
【符号の説明】
【００７３】
１０  室内収納装置
１１  主支柱
１２  内管
１３  当接具
１４  固定具
１４ａ  締め付けボルト
１５  アジャスター
２０Ａ  上部棚
２０Ｂ  下部棚
２１  支持フレーム
２１Ａ  フレーム本体
２２  延長板
２３  長穴
２４  係合爪
２７  水平サポート
２８  ストッパ
３０  保持機構
３０Ａ  保持機構本体
３１  回動軸
３４  係止爪
３５  カバー
３８  締め付けボルト
４１  包丁保持具
４２  タオル保持具
４３  まないた保持具
４４  コップ保持具
５０  スポンジ保持具
６０  引っ掛け機構
６１  引っ掛け機構本体
６２  締め付けボルト
６３  下端部
【要約】
【課題】物品を載置する機能と、物品を吊り下げる機能を併せもち、かつコンパクトに構成する。
【解決手段】室内収納装置１０は一対の主支柱１１と、主支柱間に配置された支持部材２０Ａ、２０Ｂ、２０Ｃとを備えている。支持部材２０Ａ，２０Ｂ，２０Ｃは、水平位置と垂直位置との間で回動自在に設けられ、水平位置をとるときに上面に物品を載置可能となっている。支持部材２０Ａ、２０Ｂ、２０Ｃは垂直位置をとるとき、一対の主支柱１１間の内部空間に収まる。
【選択図】図１【図１】
0006935608.tif 000002
【図２】
0006935608.tif 000003
【図３】
0006935608.tif 000004
【図４】
0006935608.tif 000005
【図５Ａ】
0006935608.tif 000006
【図５Ｂ】
0006935608.tif 000007
【図６Ａ】
0006935608.tif 000008
【図６Ｂ】
0006935608.tif 000009
【図７】
0006935608.tif 000010
【図８】
0006935608.tif 000011
【図９】
0006935608.tif 000012
【図１０】
0006935608.tif 000013
【図１１】
0006935608.tif 000014